【事件の表示】
　平成９年特許願第１５６０４４号「向上した輸送性能を有する（フオト）サーモグラフイー材料」拒絶査定不服審判事件〔平成１０年４月１４日出願公開、特開平１０−９５１７０〕について、次のとおり審決する。
【結　論】
　本件審判の請求は、成り立たない。
【理　由】
１．手続の経緯・本願発明
　本願は、平成９年５月３０日（パリ条約による優先権主張１９９６年６月１日、ドイツ国）の出願であって、その請求項１ないし３に係る発明は、平成１１年７月２６日、平成１２年７月２６日、平成１３年７月２３日及び平成１６年５月１８日付けの手続補正書により補正された明細書の記載からみて、その特許請求の範囲の請求項１ないし３に記載された事項により特定されるものであり、請求項１に係る発明は次のとおりのものと認める。
「耐水性支持体の一方の側に感熱性要素及び該耐水性支持体の他方の側に最外背面層を含んでなり、該感熱性要素が実質的に光−非感受性の有機銀塩、該実質的に光−非感受性の有機銀塩と熱的作用関係にあるそのための有機還元剤及び結合剤を含み、且つ該最外背面層がポリマービーズを含む実質的に非感光性のサーモグラフィー記録材料であって、該耐水性支持体の該感熱性要素を有する該側上の最外層はフッ素−含有ポリマー性界面活性剤を含有せず、そして２１℃及び５０％相対湿度で４時間予め状態調節した後に２１℃及び５０％相対湿度で測定したときの、該耐水性支持体の該感熱性要素を有する該側上の該最外層と該最外背面層の間の静摩擦係数が≦０．２４であることを特徴とする実質的に非感光性のサーモグラフィー記録材料。」（以下「本願請求項１に係る発明」という。）
　
２．引用刊行物記載の発明
　当審における拒絶の理由に引用された、刊行物１ないし６には下記の事項がそれぞれ記載されている。
　
刊行物１（特開平５−２４３４３号公報）の記載事項
（１）「直接感熱記録方式により多色画像を得る感熱記録材料を印字する多色感熱記録材料印字装置において、繰出しロールと多色感熱記録材料との接触面の静摩擦係数を１．５ 以上にすることを特徴とする多色感熱記録材料印字装置。」（【請求項１】）
（２）「前記感熱記録材料の上面と下面の静摩擦係数を０．５以下にすることを特徴とする請求項１に記載の多色感熱記録材料印字装置。」（平成３年９月１３日付け手続補正書で補正された【請求項２】）
（３）「更に上記目的は、前記感熱記録材料の表面と裏面の静摩擦係数を０．５以下にすることを特徴とする多色感熱記録材料印字装置により達成される。尚、前記静摩擦係数の測定方法は、ＪＩＳ　Ｋ　７１２５（プラスチックフィルム及びシートの摩擦係数試験方法）およびＪＩＳ　Ｐ　８１４７（紙及び板紙の摩擦係数試験方法）の規格に基づき測定されるもので、水平方法と傾斜方法がある。ここで言う静摩擦係数とは、紙の最初の動きを阻止しようとする摩擦力と紙に垂直に加わる力（紙に重量物を載せた状態）の比をいう。今、滑り運動を起こすときの静摩擦力をＦμｓ｛ｇｆ｝、おもりによる垂直荷重をＦｎ｛ｇｆ｝とすると静摩擦係数μｓは、μｓ＝Ｆμｓ／Ｆｎによって表され、５回の試験値の平均値をＪＩＳ　Ｚ　８４０１（数値の丸め方）によって少数点以下２けたに丸めた値で表される。」
（平成３年９月１３日付け手続補正書で補正された【０００８】）
（４）「本発明によれば、多色感熱記録材料をトレイから取り出し、印字装置に搬送するとき、繰出しローラと記録材料との静摩擦係数を１．５以上にして、ローラによる記録材料の繰出し性を良くし、しかも繰出される記録材料の裏面と次の２枚目の記録材料の表面との静摩擦係数を０．５以下に設定することにより、積層状態の記録材料相互を滑り易くした。これにより、記録材料の最上部の１枚のみを確実に繰出しローラによって繰出し・・・。」（平成３年９月１３日付け手続補正書で補正された【０００９】）
（５）「このような要望に対して、例えば特開平２−１４１２７９号公報には、フルカラー画像を形成可能な多色感熱記録材料が開示されている。」
（【０００３】）
（６）「支持体１１２には電子供与性染料前駆体１２１と電子受容性化合物１２２を主成分として含有する第一の感熱発色層１１１、ジアゾニウム塩化合物１３１と該ジアゾニウム塩化合物と熱時反応して呈色するカプラー１３２およびパラヒドロキシ安息香酸エステル１３３を含有する第二の感熱発色層１１０が設けられる。」（【００１０】）
（７）「支持体としては、・・・ポリエチレンテレフタレート・・・等のプラスチックフィルムなど公知のものが使用される。」（【００１３】）
（８）「以上のような多色感熱記録材料の繰出し搬送性を向上させ記録材料トレイから１枚ずつ確実に繰出しを行うために、記録材料６の最上部に確実な繰出しに必要な摩擦力を得るための上部保護層７を設け、しかも裏面に記録材料どうしが滑り易くするために裏面の最上層８を設ける。」
（【００１７】）
（９）「実施例４）繰出しロールをゴム製にして、記録材料の上部保護層をゼラチンとステアリン酸亜鉛の成分比率が１対０．７の割合の層を計２ｇ／ｍ2 塗布し、さらに記録材料の裏面（図２、符号８）をＰＶＡと炭酸カルシウムの成分比率が１対１の割合の層を計３ｇ／ｍ2 塗布した。　実施例５）繰出しロールをゴム製にして、記録材料の上部保護層をゼラチンとステアリン酸亜鉛の成分比率が１対０．７の割合の層を計２ｇ／ｍ2 塗布し、さらに記録材料の裏面（図２、符号８）をＰＶＡとシリカの成分比率が５対１の割合の層を計３ｇ／ｍ2 塗布した。上記実施例１）〜５）は、繰出しロールをいずれもゴム製にして、実施例１）〜３）は、記録材料の上部保護層の成分を変え、実施例４）及び５）は、上部保護層の成分は実施例１）と同にして、記録材料相互の滑りを良くするために裏面の最上層の成分を変え、実際に繰出し及び搬送を行い繰出し性及び搬送性を見た。」
（【００２０】〜【００２２】）
（１０）「実施例１）〜３）は繰出しローラと記録材料との静摩擦係数を１．５以上にすることで、ローラ上での記録材料の滑りを防止して良好な搬送性を得ることができた。また、実施例４）及び５）は記録材料トレイ内の繰出し時の記録材料相互の静摩擦係数を０．５以下にすることで、記録材料どうしを滑り易くして良好な繰出し性を実現し、前記実施例１）〜３）以上に優れた結果を得ることができた。」
（平成３年９月１３日付け手続補正書で補正された【００２７】）
（１１）【表１】には、裏面にＰＶＡと炭酸カルシウムの層を設けた実施例４）、裏面にＰＶＡとシリカの層を設けた実施例５）が、裏面に層を設けていない実施例１）〜３）に比べて繰出し性が良好であることが記載されている。（【００２６】）
　
（刊行物１記載の発明）
　以上の記載事項から、刊行物１には以下の発明が記載されている。
「支持体の一方の側に感熱発色層と上部保護層、及び支持体の他方の側に裏面の最上層を含んでなり、裏面の最上層が炭酸カルシウムあるいはシリカを含む感熱記録材料であって、支持体の感熱発色層を有する側の上部保護層はフッ素−含有ポリマー性界面活性剤を含有せず、そして支持体の感熱発色層を有する側の上部保護層と裏面の最上層の間の静摩擦係数がＪＩＳ　Ｋ　７１２５（プラスチックフィルム及びシートの摩擦係数試験方法）の規定に基づき測定し０．５以下である感熱記録材料。」
　
刊行物２（特開平７−４９５４３号公報）の記載事項
（１）「感熱処理性画像形成要素であって、前記要素が、（１）支持体；（２）前記支持体の一側面上の、サーモグラフィもくしはフォトサーモグラフィ画像形成層；及び（３）最外層であり、そして前記支持体の前記画像形成層とは反対の側面上に位置するバッキング層であって、前記バッキング層がバインダー及びバインダー中に分散したマット剤を含んでなるもの；を含んでなり、前記要素が更に（４）内部層であり、そして前記支持体のいずれかの側面上に位置する導電層であって、前記導電層が５×１０10オーム／平方（ohm ／square）未満の内部抵抗率を有するものを含んでなることを特徴とする感熱処理性画像形成要素。」（【請求項１】）
（２）「本発明の感熱処理性画像形成要素は、要素の像様加熱により画像が形成されるタイプのもの、又は像様露光、それに続く要素の均一加熱により画像が形成されるタイプのものであることができる。」（【００１３】）
（３）「サーモグラフィ要素の場合は、熱エネルギー源及び画像形成手段は、サーモグラフィ画像形成技術分野において知られている、任意の像様感熱露光源及び手段であってよい。」（【００２９】）
（４）「本発明に用いられるバッキング層は、最外層であり、支持体の画像形成層とは反対側面上に位置する。バッキング層は、バインダー、及び所望の表面粗さを得るのに十分な量のバインダー中に分散したマット剤からなる。」（【００３２】）
（５）「各種の材料を用いて、感熱処理性画像形成要素の要件を満たすバッキング層を製造することができる。・・・好ましいバッキング層は、米国特許第４，８２８，９７１号に記載されているように、・・・ものである。・・・他の有用なバッキング層としては、ポリメチルメタクリレート、・・・。本発明の感熱処理性画像形成要素においては、有機もしくは無機のマット剤のいずれかを用いることができる。有機マット剤の例は、ポリマー、例えば、アクリル酸及びメタクリル酸のポリマーエステル、例えば、ポリ（メチルメタクリレート）、スチレンポリマー及びコポリマー等の粒子（ビーズ状であることが多い）である。無機マット剤の例は、ガラス、二酸化ケイ素、二酸化チタン、酸化マグネシウム、酸化アルミニウム、硫酸バリウム、炭酸カルシウム等の粒子である。マット剤及びそれらの使用方法は米国特許第３，４１１，９０７号及び第３，７５４，９２４号に更に記載されている。」（【００３３】〜【００３４】）
（６）「バッキング層は、・・・Roughness Average （Ｒａ）値が０．８より大きい、更に好ましくは１．２より大きい、最も好ましくは１．５より大きいような表面粗さを有する。」（【００３５】）
（７）「対照要素　両側面に下塗りが施されている０．１ミリメートル厚さのポリエチレンテレフタレートフィルムを支持体として用いて感熱処理性画像形成要素を製造した。下塗りが施されたポリエチレンテレフタレートフィルムの一側面上に０．５マイクロメートルの乾燥厚さのバッキングレーヤーを、その反対側面上に順に９マイクロメートルの乾燥厚さの画像形成層、２マイクロメートルの乾燥厚さのオーバーコート層を塗布した。バッキング層、画像形成層及びオーバーコート層の組成は、米国特許第４，８２８，９７１号の明細書の例１の要素Ｂについて記載されているものと同じであった。」（【００４４】）
（８）「実施例２　バッキング層がポリメチルメタクリレートからなり、そして導電層を支持体とバッキング層間に介在させた以外は、対照要素と同一である感熱処理性画像形成要素を製造した。バッキング層は、マット剤として２５mg／ ｍ2 の被覆量で３〜４マイクロメートルの粒子サイズのポリ（メチルメタクリレート−コ−エチレングリコールジメタクリレート）のビーズを含有した。」（【００４７】）
　
刊行物３（特開平２−１４７２９４号公報）の記載事項
（１）「画像形成要素の第一側面に熱加工性画像形成層を含んでなり、そして第 一側面の対向面に0.25重量％〜60重量％のポリ（ケイ酸）およびポリ（ケイ酸）と相溶性である水溶性ヒドロキシル基含有ポリマーまたはモノマーを含む裏打ち層を含んでなる熱加工性画像形成要素。」
（特許請求の範囲第１項）
（２）「本発明は、画像形成要素の第一側面に熱加工性画像形成層、好ましくはフォトサーモグラフィまたはサーモグラフィ画像形成層を含んでなり」（第２頁左上欄第１０行目〜第１２行目）
（３）「例えば、裏打ち層は、・・・ポリ（メチルメタクリレート）ビーズのようなポリマービーズを含んでなる艶消剤を含んでもよい。かかる添加剤の最も効果的な濃度は、・・・添加剤の意図する目的などに応じて変化し得る。」（第３頁右下欄第１９行目〜第４頁左上欄第５行目）
（４）「サーモグラフィ要素の場合には、・・・熱エネルギー源及び手段は・・・像様熱照射源および手段であることができる。」
（第６頁右下欄第１１行目〜第１４行目）
（５）「前述の裏打ち層が有効であるサーモグラフィ要素は、・・・かかるサーモグラフィ要素には、例えば、米国特許第・・・、同第３０３１３２９号明細書および同第３０８０２５４号明細書に記載されているものが含まれる。有用なサーモグラフィ要素の例としては、画像形成技術分野で既知の・・・サーモグラフィ層および前述したポリ（ケイ酸）を含んでなる裏打ち層を保持する支持体を含む。」（第７頁右上欄第３行目〜第１４行目）
（６）「裏打ち層　・・・３．以下の塗布面積となるよう・・・塗布した。ａ）ポリ（ビニルアルコール）３４ｍｇ／ｆｔ２　ｂ）ポリ（ケイ酸）（ｂ／ａ＝１．２５）４２ｍｇ／ｆｔ２　　マット（メチルメタクリレートビーズ）５ｍｇ／ｆｔ２」（第８頁左上欄第５行目〜同右上欄第１５行目）
　
刊行物４（ＷＯ９６／１５４７７号パンフレット）の記載事項
（１）「SUMMARY OF THE INVENTION　As explained earlier ・・・in automated equipment. 」（第８頁第１３行目〜第３０行目）（「先に説明したように、フルオロケミカル界面活性剤の使用は、・・・自動化装置内での要素の輸送を妨げるため、問題があることがある。フルオロケミカル界面活性剤は、・・・乾燥した要素の表面にわずかな粘着性をもたらす。この表面の粘着性は、多重フィルムまたは要素の輸送にために、自動化フィルム供給装置の作動上の欠陥を引き起こすことがある。しかしながら、本発明によれば、写真用または熱転写用要素の少なくとも１つの最も外側の層内での複数の光学的に透明なポリマービーズの使用が、自動化装置内での前記要素の使用において付随する課題をもたらすことなく、・・・全く驚くべきことに、光熱写真用または熱転写用要素の少なくとも１つの最も外側の層内でのビーズの存在は、自動化装置内のフィルム供給機構に付される場合に、要素の分離および滑りに非常に役立つ。」刊行物４の対応公報である特表平１０−５０９２５０号公報の第１１頁第３行目〜第１７行目）
（２）「In both the photothermografic and thermographic constructions・・・As previously mentioned・・・in U.S.Patent No.5,238,736 and U.S.patent No.5,310,595]」(第１０頁第９行目〜第１１頁第２６行目)（「光熱写真用および熱転写用構造物の両者において、・・・ポリマービーズは、・・・反対の面の最も外側のコーティング内に含まれており、ここでは、裏面コーティングと呼ぶ。・・・ポリマービーズを前記層中に組み込んで、接触面積を低減することによって粘着性の影響を低下させる。ポリマービーズは・・・シートピックアップ機構に付すときに、互いに分離させるのに十分な濃度で含まれている。あるいは、フィルムは、積み重ねたフィルムから滑らせるための単一のフィルムを必要とする供給機構に付されると、互いに容易に滑らせることもできる。・・・ポリマービースの非限定的な例としては、・・・米国特許５，２３８，７３６・・・に記載されているような、・・・挙げられる。」刊行物４の対応公報である特表平１０−５０９２５０号公報の第１２頁第２４行目〜第１４頁第８行目）
　
刊行物５（米国特許第３０３１３２９号明細書）、刊行物６（米国特許第３０８０２５４号明細書）には、ベヘン酸銀、有機還元剤及び結合剤を含有したサーモグラフィー要素が記載されている。
　
３．対比
　本願請求項１に係る発明と刊行物１記載の発明とを比較する。
（ア）刊行物１記載の発明の「感熱発色層」「上部保護層」「裏面の最上層」「感熱記録材料」は、本願請求項１に係る発明の「感熱性要素」「感熱性要素を有する側上の最外層」「最外背面層」「サーモグラフィー記録材料」にそれぞれ相当する。
（イ）刊行物１には、支持体としてポリエチレンテレフタレート等のプラスチックフィルムを用いることができることが記載されていることから、刊行物１記載の発明の「支持体」は、本願請求項１記載の発明の「耐水性支持体」に相当する。
（ウ）刊行物１には、「炭酸カルシウムあるいはシリカ」を含有させた実施例４）、５）においては、材料相互の静摩擦係数が０．５以下とされ、これらを含有した裏面層が設けられていない実施例１）〜３）に比べて繰出し性が向上していることが記載されていることから、刊行物１記載の発明の「炭酸カルシウムあるいはシリカ」も、本願請求項１に係る発明の「ポリマービーズ」も、記録材料の最外層と最外背面層相互の摩擦係数を低くして滑り易くするための粒子である点で共通している。
（エ）本願請求項１に係る発明も、刊行物１記載の発明も、積層状態の記録材料相互の滑りを良くするために、感熱性要素を有する側上の最外層と最外背面層との間の静摩擦係数を所定値以下とする点で共通している。
　以上のことから、両者の間には、下記の一致点及び相違点がある。
（一致点）
　耐水性支持体の一方の側に感熱性要素及び耐水性支持体の他方の側に最外背面層を含んでなり、最外背面層が、最外層と最外背面層相互の摩擦係数を低くして滑り易くするための粒子を含むサーモグラフィー記録材料であって、耐水性支持体の感熱性要素を有する側上の最外層はフッ素−含有ポリマー性界面活性剤を含有せず、そして耐水性支持体の感熱性要素を有する側上の最外層と最外背面層の間の静摩擦係数が所定の値以下であるサーモグラフィー記録材料である点。
（相違点１）
　本願請求項１に係る発明では、感熱性要素は実質的に光−非感受性の有機銀塩、該実質的に光−非感受性の有機銀塩と熱的作用関係にあるそのための有機還元剤及び結合剤を含むものであるのに対して、刊行物１に記載の発明では、直接感熱記録方式に用いる感熱記録材料ではあるが、感熱発色層として例示されたものがジアゾニウム塩化合物やカプラー等を含有したものである点。
（相違点２）
　最外層と最外背面層相互の摩擦係数を低くして滑り易くするため最外背面層に含有される粒子が、本願請求項１に係る発明ではポリマービーズであるのに対して、刊行物１に記載の発明では、炭酸カルシウムあるいはシリカという無機粒子である点。
（相違点３）
　本願請求項１に係る発明では、２１℃及び５０％相対湿度で４時間予め状態調節した後に２１℃及び５０％相対湿度で測定したときの、耐水性支持体の感熱性要素を有する側上の最外層と最外背面層の間の静摩擦係数が≦０．２４であるのに対して、刊行物１記載の発明では、ＪＩＳ　Ｋ　７１２５（プラスチックフィルム及びシートの摩擦係数試験方法）の規定に基づき測定した静摩擦係数が０．５以下である点。
　
４．判断
 （相違点１について）
　刊行物１において従来技術として引用された、刊行物３（特開平２−１４１２７９号公報）には、サーモグラフィ要素の裏打ち層にポリマービーズを含有させたものが記載されており、サーモグラフィー層の例として刊行物３において引用された刊行物５及び刊行物６には、ベヘン酸銀、還元剤及び結合剤を含有したものが記載されている。そしてベヘン酸銀、還元剤及び結合剤を含有したサーモグラフィ層は、直接感熱方式による感熱記録材料のサーモグラフィー層として周知であったといえる。したがって、刊行物１記載の発明において、直接感熱方式による感熱記録材料の感熱発色層の例として記載されたジアゾニウム塩化合物やカプラー等を含有したものに代えて、刊行物１に従来例として記載され周知でもある、ベヘン酸銀と還元剤、すなわち光−非感受性の有機銀塩と光−非感受性の有機銀塩と熱的作用関係にあるそのための有機還元剤、及び結合剤を含むものを採用することは当業者が容易になし得たものといえる。また、それに伴う効果は予測し得るものである。
（相違点２について）
　刊行物２に記載の発明は、サーモグラフィー要素の移送性を高めるためのものであり、最外背面層であるバッキング層に所定範囲の粒径の有機もしくは無機の粒子を所定量含有させ所望の面粗さを得ることが記載され、刊行物３に記載された発明は、サーモグラフィー要素の輸送特性の改良のためのものであり、最外背面層である裏打ち層に、ポリメチルメタクリレート等のポリマービーズを含有させるが、その添加量は目的に応じて変化させることが記載され、また、刊行物４には、光熱写真用要素の最外背面層である裏面コーティングにポリマービーズを含有させて接触表面積を低減し、フッ素系界面活性剤を含有させたことにより生じた粘着性を低下させ積み重ねたフィルムを互いに容易に滑らせることが記載されていることから、サーモグラフィー記録材料において、輸送性能を改良するために、所望の面粗さや滑り性を得るように、最外背面層にポリマービーズを含有させることは周知であったといえる。したがって、刊行物１記載の発明において、最外層と最外背面層相互の摩擦係数を低くして滑り易くするため最外背面層に含有させる粒子として、炭酸カルシウムあるいはシリカという無機粒子に代えて、ポリマービーズを用いることは当業者が容易になし得たものといえる。それに伴う効果は、刊行物２ないし４の記載から予測し得るものである。
（相違点３について）
　静摩擦係数の測定条件について検討する。刊行物１に静摩擦係数の測定法として記載された、ＪＩＳ　Ｋ　７１２５（プラスチックフィルム及びシートの摩擦係数試験方法）の規定には、摩擦係数測定のための試験片の状態調節を、標準雰囲気の２３±２℃，（５０±６）％ＲＨの条件下で、少なくとも１６時間状態調節を行い測定することが記載されている。本願発明では、２１℃及び５０％相対湿度で４時間予め状態調節した後に２１℃及び５０％相対湿度で測定するが、この測定条件は、ＪＩＳ　Ｋ　７１２５に規定されたものと大きく異なるものではない。
　また、本願明細書には、輸送性能の評価法は、サーモグラフィー材料５０シートのパックを作り、３５℃及び８０％の相対湿度に７日間、或いは４５℃及び７０％相対湿度に７日間供した後、パック内の各シートの輸送性能を、パックを４５°傾け、シートがどのくらい容易に互いに対して動くかを観察し、５０シートのパック全体が１つの固まりに粘着している評価を得たものは、プリンターで２重−シート供給を起こす率が非常に高いことに基づいて、上記の評価より静摩擦係数を０．２４以下と決定することが記載されている。また、刊行物１には、記録材料トレイ内で繰出し性が良好であるかどうかを直接評価し、繰出し性が良好である静摩擦係数を０．５以下とすることが記載されており、本願発明も刊行物１記載の発明も、プリンターのシート供給部内で重ねたサーモグラフィー材料相互の確実な分離及び搬送を可能とするものであり、そのために、感熱性要素を有する側上の最外層と最外背面層の間の静摩擦係数を低くすることに着目した点で共通しており、上記課題を解決する静摩擦係数の上限をそれぞれの状況に応じて決定したものといえる。したがって、刊行物１記載の発明において、感熱発色層として、実質的に光−非感受性の有機銀塩、実質的に光−非感受性の有機銀塩と熱的作用関係にあるそのための有機還元剤及び結合剤を含むものを採用し、裏面の最上層に含有させる粒子としてポリマービーズを採用したことに伴い、上記静摩擦係数を０．５以下のどの程度のものとするかを決めるために実験を行い、静摩擦係数を０．２４以下とすることは当業者が容易になし得たものといえる。また、サーモグラフィープリンターにおける確実な分離及び輸送性能を示す等の効果についても、刊行物１の記載から予測し得るものといえる。
　
５．むすび
　以上のとおり、本願請求項１に係る発明は、引用刊行物１ないし６に記載された発明に基づいて当業者が容易に発明をすることができたものであるから、特許法第２９条第２項の規定により特許を受けることができない。
 したがって、請求項２ないし３についての判断を示すまでもなく、本願は拒絶すべきものである。
  よって、結論のとおり審決する。